【手続補正書】
【提出日】平成29年3月29日(2017.3.29)
【手続補正１】
【補正対象書類名】特許請求の範囲
【補正対象項目名】全文
【補正方法】変更
【補正の内容】
【特許請求の範囲】
【請求項１】
少なくとも、第１のユニットと第２のユニットとを備え、前記第２のユニットは前記第１のユニットに取り外し可能に接続可能であり、電極アセンブリに連結されており、
前記第１のユニットは、
ａ）電源、
ｂ）無線周波出力を発生させるＲＦ発振回路、及び
ｃ）ＲＦ出力を前記電極アセンブリに供給するように構成されている出力部、
を備え、
前記第２のユニットが、第１の期間について第１の有限の非ゼロ値を持つパラメータと、第２の期間について第２の有限の値を持つパラメータとを前記第１のユニットに交互に提供する識別回路を備え、
前記第１のユニットが、前記識別回路の特性を検出して出力信号を提供するように構成されている検知回路を含み、前記第１のユニットが、前記検知回路に接続され、前記出力信号を受信するコントローラを更に含み、前記コントローラが前記検知回路からの前記出力信号に応じて前記ＲＦ出力を前記特定の電極アセンブリに適するように調節するよう構成されている；
電気手術システム。
【請求項２】
前記第１のユニットが、前記第１の期間と前記第２の期間との交番の頻度を検出するように構成されている、
請求項１に記載の電気手術システム。
【請求項３】
前記第１のユニットが、前記第１の期間と前記第２の期間との比率を検出するように構成されている、
請求項１に記載の電気手術システム。
【請求項４】
前記第１のユニットが、前記第１の期間の前記パラメータの値を検出するように構成されている、
請求項１に記載の電気手術システム。
【請求項５】
前記第１のユニットが、前記第２の期間の前記パラメータの値を検出するように構成されている、
請求項１に記載の電気手術システム。
【請求項６】
前記第１のユニットが、前記第１の期間のパラメータの値と前記第２の期間のパラメータの値との差を検出するように構成されている、
請求項１に記載の電気手術システム。
【請求項７】
前記識別回路が、少なくとも有限の非ゼロ値のパラメータを有する第１及び第２の受動電気的識別構成部品を含み、前記第１の識別構成部品の値が前記第２の識別構成部品の値とは異なる、
請求項１ないし請求項６のいずれか１項に記載の電気手術システム。
【請求項８】
前記識別回路が、前記第１及び第２の識別構成部品の第１及び第２の組合せを切り替えるためのスイッチング手段を更に含む、
請求項７に記載の電気手術システム。
【請求項９】
前記スイッチング手段が、前記第１の識別構成部品のみの第１の組合せと前記第２の識別構成部品のみの第２の組合せ間を切り替える、
請求項８に記載の電気手術システム。
【請求項１０】
前記スイッチング手段が、前記第１の識別構成部品のみの第１の組合せと前記第１及び第２の識別構成部品の両方の第２の組合せとを切り替える、
請求項８に記載の電気手術システム。
【請求項１１】
前記第１及び第２の有限の値を持つ前記パラメータがリアクタンスである、
請求項１ないし請求項１０のいずれか１項に記載の電気手術システム。
【請求項１２】
前記スイッチング手段がトランジスタを備える、
請求項８ないし請求項１１のいずれか１項に記載の電気手術システム。
【請求項１３】
前記第１及び第２の識別構成部品がコンデンサであり、前記第１及び第２の有限の値を有する前記パラメータがキャパシタンスである、
請求項７ないし請求項１２のいずれか１項に記載の電気手術システム。
【請求項１４】
前記第１のユニットが電気手術用発電器であり、前記第２のユニットが前記発電器に取り外し可能に接続された電気手術器具である、
請求項１ないし請求項１３のいずれか１項に記載の電気手術システム。
【請求項１５】
前記第１のユニットがハンドヘルド式の電気手術用ハンドピースであり、前記第２のユニットが前記電気手術用ハンドピースに取り外し可能に接続された電極ユニットである、
請求項１ないし請求項１４のいずれか１項に記載の電気手術システム。
【請求項１６】
接続インターフェース；及び、
前記接続インターフェースにおいて時間的に変化する電気的パラメータを提示するように配設された識別回路を備え、前記時間的に変化する電気的パラメータが前記電気手術器具又は電極アセンブリの少なくとも１つの特質を決定するような識別シグネチャとして機能する、
電気手術器具又は電気手術器具用の電極アセンブリ。
【請求項１７】
前記識別回路が、
電気的構成部品の回路網と、
一以上の前記電気的構成部品の前記回路網への組込みと組込みの解除とを切り替えることによって電気的パラメータを変化させるスイッチング素子とを備える、
請求項１６に記載の電気手術器具又は電極アセンブリ。
【請求項１８】
前記電気的構成部品の前記回路網が一以上のリアクティブな構成部品を備え、前記スイッチング素子が前記一以上のリアクティブな構成部品の前記回路網への組込みと組込みの解除を切り替えると、前記回路網の共振周波数が切り替わる、
請求項１７に記載の電気手術器具又は電極アセンブリ。
【請求項１９】
前記回路網は並列に配設された少なくとも２つのリアクティブな構成部品を備え、前記スイッチング素子、好ましくはトランジスタが、前記構成部品の一つの前記回路網への組込みと組込みの解除とを周期的に切り替えるために配設されることによって前記時間的に変化する電気的パラメータが高リアクタンスと低リアクタンスとの間、又は高インピーダンスと低インピーダンスとの間で切り替わる、
請求項１８に記載の電気手術器具又は電極アセンブリ。
【請求項２０】
少なくとも、第１のユニットと第２のユニットとを備え、前記第２のユニットが前記第１のユニットに取り外し可能に接続可能であり、電極アセンブリに連結されており、前記第１のユニットがＲＦ出力信号を前記第２のユニットに提供し、
第１の期間についての第１の有限の非ゼロ値を持つパラメータと、第２の期間についての第２の有限の値を持つパラメータを時間的に変化する方式で前記第２のユニットから前記第１のユニットに提供するステップと、
前記第１のユニットにおける前記パラメータを検出するステップと、前記パラメータの検出に応じて前記第１のユニットの前記ＲＦ出力信号を特定の電極アセンブリに適するように調節するステップとを備え、
前記パラメータの前記時間的に変化する性質が、前記特定の電極アセンブリの識別を提供する；
電気手術システムを操作する方法。
【請求項２１】
前記提供するステップは、提供される一以上の電気的構成部品を電気的構成部品の回路網への組込みと組込みの解除とを切り替えるステップを含み、それにより提供されるパラメータの値を変化させる、
請求項２０に記載の電気手術システムを操作する方法。
【請求項２２】
前記電気的構成部品の回路網が一以上のリアクティブな構成部品を備え、前記一以上のリアクティブな構成部品が前記回路網への組込みと組込みの解除とで切り替えられると前記回路網の共振周波数が変化する、
請求項２１に記載の電気手術システムを操作する方法。
【請求項２３】
前記回路網が並列に配設された少なくとも２つのリアクティブな構成部品を備え、前記方法が、前記構成部品の１つを前記回路網への組込みと組込みの解除とを周期的に切り替えるステップを含みことにより、前記時間的に変化する電気的パラメータが、高リアクタンスと低リアクタンスとの間又は高インピーダンスと低インピーダンスとの間で切り替わる、
請求項２２に記載の電気手術システムを操作する方法。